(57)【特許請求の範囲】
【請求項１】
複数のピクセルを有する表示装置であって、
アクティブピクセル領域と、非アクティブピクセル領域とを含むピクセル領域を画成するピクセル構造であって、前記アクティブピクセル領域は光を放射するように構成されている、ピクセル構造と、
外面と内面とを有する透明カバープレートであって、前記内面が前記ピクセル領域に極めて近接している、透明カバープレートと、
前記透明カバープレートの外面上に形成され、暗色の材料によって囲まれた開口を画成するブラック・マトリクスであって、前記開口は前記アクティブピクセル領域から放射された光が該開口を通過するように、前記表示装置の前記アクティブピクセル領域に対して位置合わせされている、ブラック・マトリクスと
を備え、
前記ピクセル領域は幅Ｐを有し、前記アクティブピクセル領域は幅ｄｐを有し、前記透明カバープレートは屈折率をｎｇｌａｓｓと厚さｔｇｌａｓｓを有し、前記ブラック・マトリクスは不等式「Ｗｍ＝＜Ｐ−２（ｔｇｌａｓｓｔａｎ（Θｃ））−ｄｐ」によって定義される幅Ｗｍを有する暗色のストライプ（縞）を備え、前記Θｃは前記透明カバープレートの内部における外面での全反射に関する臨界角である、表示装置。
【請求項２】
前記アクティブピクセル領域の面積対前記ピクセル領域の面積の比率が５０パーセント未満である、請求項１に記載の表示装置。
【請求項３】
前記Ｗｍは、不等式「Ｗｍ≧２ｄｃ」によって定義され、ｄｃ＝ｔｇｌａｓｓＴａｎ（Θｃ）である、請求項１に記載の表示装置。
【請求項４】
前記アクティブピクセル領域によって放射された光を通過させるように、また、周囲の反射光を減衰させるように前記複数のピクセルの上に配置されたパターン化されたカラーフィルタであって、前記周囲の反射光は、前記透明カバープレートと該パターン化されたカラーフィルタとを通過して前記ピクセル領域によって反射される、パターン化されたカラーフィルタを更に含む、請求項１に記載の表示装置。
【請求項５】
前記ピクセル構造は、このピクセル構造を駆動するための行電極と列電極とを含み、前記アクティブピクセル領域は発光性表示材料と反射性表示材料とからなるグループから選択された表示材料を含み、前記表示装置は前記透明カバープレートの内面に接続された電子回路セクションを含み、前記電子回路セクションは前記行電極と列電極とに電気信号を供給する回路ボードを含む、請求項１に記載の表示装置。
【請求項６】
前記回路ボードは、前記アクティブピクセル領域のために光吸収性バックグラウンドを提供する暗色材料を備える、請求項５に記載の表示装置。
【請求項７】
前記回路ボードは、接着剤によって前記透明カバープレートの内面側にピクセル領域を介して接合されており、前記接着剤は暗色材料を含んでおり、それによって前記組み立てられた表示装置は前記アクティブピクセル領域のために光吸収性バックグラウンドを提供する、請求項５に記載の表示装置。
【請求項８】
前記表示装置は複数の個別タイルを含むタイル式表示装置であり、前記個別タイルの間のギャップは前記ブラック・マトリクスに位置合わせされている、請求項１に記載の表示装置。
【請求項９】
内面と外面とを有するレンズ構造体であって、前記レンズ構造体の内面は前記透明カバープレートの外面に結合されており、前記レンズ構造体は複数のレンズを画成しており、各レンズはアクティブピクセル領域に関して、前記アクティブピクセル領域によって放射される光を前記レンズの開口に集光するように配置されており、前記開口は前記アクティブピクセル領域よりも小さい面積を有している前記レンズ構造体と、
前記レンズ構造体に結合されると共に、観察者に光を伝達しない領域をカバーしている光吸収材料と
をさらに備える、請求項１に記載の表示装置。
【請求項１０】
前記アクティブピクセル領域の面積対前記ピクセル領域の面積の比率が５０パーセント未満である、請求項９に記載の表示装置。
【請求項１１】
前記個々のレンズは、前記透明カバープレートから突き出ていて比較的急角度の側面を有しており、前記レンズの側面の角度は、前記レンズの側面の前記光吸収材料に当たる周囲光の反射成分が隣接するレンズの側面の前記光吸収材料に当たるような角度で反射される光トラップを形成するのに十分な角度である、請求項９に記載の表示装置。
【請求項１２】
前記ピクセル構造を各ピクセルが有している、前記複数のピクセルを含む表示セクションであって、前記ピクセル構造が前記ピクセル構造を駆動するための行電極と列電極とを有している、表示セクションと、
前記表示セクションに連結された電子回路セクションであって、前記行電極と列電極とに電気信号を供給する回路ボードを有している、電子回路セクションと、
前記電子回路セクションと前記表示セクションとを接合する接着剤と、
を含む、請求項１又は７に記載の表示装置。
【発明の詳細な説明】
【０００１】
本特許出願は、１９９８年２月１７日出願の米国仮出願番号第６０／０７４，９２２号からの優先権の利益を主張する。
【０００２】
【背景技術】
本発明は、電子表示装置に関し、また特に表示装置に表示される画像のコントラストを改善する特徴を有する電子表示装置に関する。
【０００３】
電子表示装置は、電気信号に応じて光のパターンを生成する装置である。フラットパネル（平面型）表示装置は一般に、表示材料を含む上部基板と下部基板とで作られる。表示材料が光を発生させる表示装置は、発光型表示装置として知られている。電子表示装置に使われる表示材料の一つのタイプは、有機発光ダイオード（ＯＬＥＤ）材料である。発光型表示装置の他のタイプには、プラズマ表示装置、フィールド発光表示装置、エレクトロルミネセンス表示装置等がある。表示装置のもう一つのタイプは、光を単に透過するか、反射するものである。このタイプの表示装置は、ライトバルブとして知られている。
【０００４】
発光型表示装置とライトバルブ型表示装置の両者に関しては、表示が明るくて、なお強いコントラストを示すことが重要である。コントラストは、表示装置の最も重要なパラメータの一つである。コントラストは、表示される情報を使う能力における重要な要因であり、またこれは購買者の選択の際に大きな役割を演じる。単純な定義は、発光型表示装置のコントラストとは表示装置によって放射される有用な光（例えば信号）対表示装置から出る不要な光（例えば雑音）の比率であるということである。すべての実際の環境では、不要な光は、周囲からの反射光が支配的である。
【０００５】
反射光は、鏡面反射光か拡散反射光のいずれかである。鏡面反射は、観察者が画像の上に重ね合わされた周囲光の源の反射画像を見るので、特に不快なものであり、またこれはその鏡面反射角で集中するので、その特定の角度で画像のコントラストを低下させる。拡散反射光は、表示されている画像の上にヘイズ（もや）を重ね合わせるが、このヘイズはコントラストを低下させ、観察可能なグレースケールの範囲を制限し、その結果、観察者によって検知可能な情報内容を制限するものである。
【０００６】
表示装置の性能を最大にするために表示面からの反射光を最小にすることが望ましい。また鏡面反射よりむしろ拡散反射として残る反射成分を有しことが望ましい。
【０００７】
【発明の概要】
本発明は、表示された画像のコントラストを高める特徴を有する表示装置に実現される。
【０００８】
本発明の一態様によれば、本表示装置は、アクティブ素子の平面の上に配置される比較的小さなアパーチャ（開口）とブラック・マトリクスとを画成するアクティブ素子を有している。
【０００９】
本発明の他の一態様によれば、本表示装置は、タイル式表示装置であり、また本ブラック・マトリクスは、個々のタイルが取り付けられた光集積プレートの表面上に実現される。
【００１０】
本発明の他の一態様によれば、本表示装置は、接着剤によって接合された電子回路セクションと表示セクションとを有しており、またこの接着剤は、暗色であって、表示セクションを透過する周囲光を吸収する。
【００１１】
本発明の他の一態様によれば、本表示装置は、共に５０％未満のアパーチャ（開口）を画成する間隔をあけた複数のサブピクセルを画成しているピクセル構造体を有している。
【００１２】
本発明の更に他の一態様によれば、本表示装置は、アクティブ素子によって提供しられた光を当該アクティブ素子の面積よりも小さい領域に集中させるように働く複数のレンズを有している。これらのレンズは、反射性、屈折性、または反射性と屈折性との組合せであってよい。
【００１３】
本発明の他の一態様によれば、これらのレンズは、隣接するレンズがレンズ間の領域に入る光の反射を抑制する光トラップを形成する、比較的急角度の側面で形成されている。
【００１４】
本発明の更に他の一態様によれば、これらレンズ間の領域は、ブラックマトリクスを形成するように暗色の材料で被覆されている。
【００１５】
本発明の他の一態様によれば、このピクセル構造体は、金属の行電極と、アクティブ素子と、透明な列電極と、透明な前面パネルとを有しており、表示装置の観察者側から見える金属の行電極の部分は、暗色の材料で被覆されるか、その材料の上に堆積されている。
【００１６】
【発明を実施するための最良の形態】
以下に説明する例示的な実施形態では、図面は比例尺になっていない。実際は、図面の各造作（機能素子）は本発明の説明を容易にするために誇張されている。
【００１７】
コントラストの改善は、少なくともある程度までは、表示装置の種類に依存している。本発明は、アクティブピクセル素子としてＯＬＥＤを使用する発光型表示装置によって説明される。しかしながらここに開示するコントラスト改善手法は、液晶表示装置といった反射型およびライトバルブ型表示装置と同様に、発光型表示装置の他のタイプ、例えばエレクトロルミネセンス表示装置、陰極線ルミネセンス表示装置、プラズマ表示装置でも使用できることが考慮されている。例示的反射型表示装置は、例えば低電力双安定表示装置用の双安定反射型コレステリック(Bistable Reflective Cholesteric（ＢＲＣ））液晶材料から形成できる。本発明によるコントラスト改善機能が表示装置でどの様に使用できるかを理解するためには、表示装置の構造を理解することが有益である。
【００１８】
図１は、ＯＬＥＤ表示装置１００の例示的構造を示す分解斜視図である。図１に示す装置は、別々の電子回路セクションと表示セクションとして形成することもでき、あるいは単一装置として形成することもできる。下記のように、この表示装置の行電極と列電極との接続は、装置の二つの直交するエッジに沿って行われる。
【００１９】
図１に示す表示装置が単一ユニットとして形成されるときには、これは回路ボード１１０の上に構築される。この回路ボードは例えば、表示装置に行・列駆動信号を供給する電子回路モジュール（図示せず）を有することができる。この電子回路モジュールは、列バイア１１２と行バイア１１４とを介して表示装置の行電極と列電極とに接続される。図１には、ただ一つの行バイア１１４が示されている。この行バイア１１４は、回路ボード１１０の上面に塗布または印刷された行電極１１６に接続する。表示材料１１８は、行電極１１４の上に堆積される。図１では、表示材料１１８は、固体シートとして図示されている。しかしながらこの材料は、カルシウムといった電子注入材料と発光ポリマー層と正孔移動ポリマー層とを含む個々のＯＬＥＤセルであってもよい。その代替として、行電極１１４の上に他の発光性材料のセルを堆積してもよい。行電極１１４は、アルミニウム、マグネシウム、カルシウムといった金属から、あるいはポリシリコンから形成されてもよい。
【００２０】
列電極１２２が、表示材料１１８の上に形成される。列電極１２２は、レベル１１０からレベル１１８を通して表示タイルの各レベルを通して延びるバイア１１２を介して回路ボードに接続される。各列電極１２２は、それぞれ異なるバイア１１２に電気的に接続される。列電極１２２は典型的には、インジウム錫酸化物（ＩＴＯ）といった透明な導電性材料から形成される。本発明の例示的実施形態では、列電極１２２の上に形成されるレベル１２１は、中性濃度グレーフィルタ、パターン化されたカラーフィルタあるいは偏光フィルタといった光学フィルタであってよい。その代替として、レベル１２１は、表示層１１８の非アクティブ領域をブラックライン（黒い線）でカバーする一方、表示材料のアクティブ素子に開口部を提供する、パターン化されたブラック・マトリクスでもよい。
【００２１】
レベル１２１が中性濃度グレーフィルタまたはパターン化されたカラーフィルタであるときは、このフィルタを通って表示材料によって反射される周囲光はこのフィルタを２回通過するのに、アクティブピクセル素子によって提供しられる光はこのフィルタを１回通るだけなので、このフィルタは表示のコントラストを高めるように働く。パターン化されたカラーフィルタは、対応するピクセルのカラーをカバーする個々のフィルタ部分（例えば赤のピクセルをカバーする赤色フィルタ）で形成される。これらのフィルタでは周囲光の大半が吸収されるが、アクティブピクセル素子によって提供しられる光は殆ど吸収されないので、更なる利点を有している。
【００２２】
図１に示す表示タイルの最後の層は、フロートグラス、その他の透明な材料から形成される透明なカバープレート１２０である。
【００２３】
図１に示すタイルが別々の電子回路セクションと表示セクションとして形成されている場合、表示セクションは、透明カバー１２０の裏面上に任意選択の層１２１を堆積することによって形成できる。次に、透明な列電極１２２が堆積され、それからＯＬＥＤ材料１１８が列電極１２２の上に形成され、行電極１１４は、このＯＬＥＤ材料に接触するように形成される。
【００２４】
電子回路セクションは、回路ボード１１０にバイアを形成し、このバイアに電子回路モジュール（図示せず）を接続するために回路ボード１１０の背面に導電性の線（図示せず）を形成することによって形成される。図１に示す例示的な別々の電子回路セクションと表示セクションとは、それらのエッジに沿って行バイアと列バイアとをバンプ・ボンディングすることによって、あるいは導電性素子がバイアから突き出るように回路セクションと表示セクションの中の一つセクションの行・列バイアの中に導電性素子、例えばワイヤを挿入することによって接合することができる。それから導電性素子は、これらのセクションが接合されるとき、他のセクションの対応するバイアと係合する。以下に説明するように、図１に示すような表示装置のコントラストは、回路ボード１１０を暗色の材料で形成することによるか、回路ボード１１０の前面（上面）を暗色に塗装することによるか、もしこの表示装置が二つのセクションで形成されるのであれば、暗色の接着剤を使って電子回路セクションと表示セクションとを接合することによって高めることができる。行電極１１６とＯＬＥＤ材料とを除いて、回路ボード上の層のすべては透明である。このようにして暗色の裏打ちは、ピクセル材料が入れられるブラック・マトリクスを形成する。更に有効なブラック・マトリクス効果を達成するために、行電極は、ＩＴＯといった透明導体から、またはカルシウム、マグネシウムまたはアルミニウムといった金属から形成され、観察者に見える金属電極の領域は表示セクションが作られるときに暗色（例えば黒色）の材料で被覆される。この代替の構造では、唯一の不透明材料は、発光性ＯＬＥＤ材料である。
【００２５】
図２は、代替の例示的表示装置構造を示す分解斜視図である。図２に示す表示装置構造は、二つの部分：表示セクション１０２と電子回路セクション１０４とで形成される。
【００２６】
表示セクション１０２は、例えばフロートガラスから作られた透明な前面プレート１２０を有している。透明な列電極１２２は、前面プレート１２０上にＩＴＯといった透明導体から形成される。これらのバンドは、ＩＴＯ層を堆積してからエッチングすることにより、あるいはＩＴＯの個別のバンドを選択的に堆積することによって形成できる。赤、緑、青のＯＬＥＤ材料、その他の表示材料１２４、１２６は、ピクセルのアクティブ領域を画成するために列電極の上に堆積される。ＯＬＥＤ材料は一般に、列電極１２２の上に堆積される正孔移動ポリマー層（図示せず）と、この正孔移動ポリマー（図示せず）の上に堆積される発光ポリマー層（図示せず）とを含んでいる。図５、６を参照して以下に説明するように、表示材料１２４、１２６は、ピクセル領域のごく一部（例えば５０％未満、望ましくは約２５％未満）を占めることが望ましい。例えばカルシウムから形成される電子放射層（別々には図示せず）は、ＯＬＥＤ材料１２４、１２６の上に堆積される。行電極１２８は、表示材料１２４、１２６の上に形成される。行電極の上に、任意選択的な絶縁層１３０が形成される。例示的絶縁層１３０は、多くの絶縁材料の中のどれからでも形成できる。表示材料を保護するために、絶縁層１３０は、低温プロセスを使って形成されることが望ましい。例示的材料には、ポリイミドまたはその他の低温無機材料がある。以下に説明するように、絶縁層１３０が透明あるいは少なくとも半透明であることは有利である。絶縁層１３０は、厚膜または薄膜堆積手法を使って形成できる。絶縁層１３０は、行電極１２８と列電極１２２とに整列配置された複数の開口部１３１を有している。
【００２７】
この絶縁層の上には、複数の任意選択の接続プレート１３２が堆積される。これらのプレート１３２は、例えば堆積されたアルミニウム、あるいは溶剤と結合した銀といった、厚膜プロセスを使用して堆積される金属インクまたは金属ペースト等を使って形成できる。図９から図１１を参照しながら以下に説明するように、接続プレート１３２は、絶縁材料内の開口部を通って延びるバイアによって列電極１２２と行電極１２８とに接続される。これらの例示的接続プレートの各々は、ただ一つの行電極または列電極との電気的コンタクト（接点）を形成する。しかしながら良好な接続を確保するために、各接続プレート１３２は、その対応する行電極または列電極と数箇所で接続することができる。
【００２８】
絶縁層１３０と接続プレート１３２は、任意選択である。もしこれらの層が使用されなければ、行電極１２８と列電極１２２とに直接接続する導電性バンプ（図示せず）が形成されることがある。以下に説明するように、これらの導電性バンプは、表示セクション上の対応する導電性バンプと、あるいは行電極と列電極とに直接的に係合するように配置することもできる。良好な電気的コンタクトの形成を確実にするために、各行電極１２８と各列電極１２２とに電気接触を行う数個の導電性バンプを形成することもできる。
【００２９】
電子回路セクション１０４は、例えばアルミナ（Ａｌ2Ｏ3）の薄いシートである回路ボード１１０と、堆積された電気導体１４０と、任意選択の接続パッド１４０と、回路ボード１１０を介して導体１４０を接続パッド１４２に電気的に接続するバイア１４４とを有する画像処理・表示駆動回路を有している。導体１４０とバイア１４４と接続パッド１４２はすべて、金属インクまたは金属ペーストを塗布する厚膜堆積プロセスを使って形成できる。接続パッド１４２はまた、堆積アルミニウムから形成することもできる。電子回路セクションの接続パッド１４２と表示セクションの接続プレート１３２との間には、１対１の対応関係がある。本発明の例示的実施形態では、接続パッド１４２と接続プレート１３２は、表示セクションと電子回路セクションとの間に異方性導電性接着剤を塗布することによって電気的に接続される。
【００３０】
しかしながら、接続パッドをそれらのそれぞれの接続プレートに電気的に接続するために他の方法を使うこともできる。例えば接続プレート１３２と接続パッド１４２は、変形可能な材料から作ることができ、これらのパッドまたはプレートの平面の上に延びる部分を含むようにパターン化することができる。電子回路セクションが表示セクションと組み合わされると、これらの接続プレート１３２と接続パッド１４２との上のパターン化された材料は、接触して変形し、これら対応する接続パッドとプレートとの間に電気的接続を形成する。パッド１４２とプレート１３２はまた、バンプ・ボンディング手法によるか、パッド１４２またはプレート１３２の一つに植え込まれていて、電子回路セクション１０４がその対応する表示セクション１０２に組み合わされるときにプレート１３２またはパッド１４２に係合するワイヤの使用によって接続することができる。
【００３１】
その代替として、接続プレート１３２と接続パッド１４２と絶縁層１３０とは、省略することができ、またバイア１４４と行・列電極との間の接続は、表示セクション１０２の行・列電極上の対応する盛り上がった導電性バンプ（図示せず）と係合するように位置決めされるバイア１４４の各々の上に盛り上がった導電性バンプ（図示せず）を備えることによって形成できる。
【００３２】
これらの構成のいずれにおいても、表示セクションは、もしそれぞれのバンプが直接的に接触するならば非導電性接着剤を使って、さもなければ異方性導電性接着剤によって電子回路セクションに接合できる。例示的異方性導電性接着剤は、例えば圧力がこの接着剤に掛けられたときに粒子が接触して導電性経路を形成するように、接着剤中に導電性材料の粒子を懸濁させることによって形成できる。その代替として、これらの粒子は、強磁性材料から形成でき、また外部から印加される磁界を使って所望の導電性の方向に（例えば垂直に）整列させることができる。この密封接続方法の詳細は、図２０を参照しながら以下に説明する。
【００３３】
図１を参照しながら前に説明したように、図２の表示装置のコントラストは、電子回路セクション１０４を表示セクション１０２に接合する接着剤に暗色の顔料を添加することによるか、透明または半透明の接着剤を使用し、暗色の材料から回路ボード１４４を形成して発光材料１２４、１２６のための暗いバックグラウンド（背景）を設けることによって高めることができる。コントラストを最も高めるためには、接触パッド１４２と接触プレート１３２と絶縁層１３０とは省略することが望ましく、またもし存在するならば透明または半透明であることが望ましい。半透明のパッド１４２とプレート１３２は、薄膜形成手法を使ってこれらの層を堆積することによって達成できる。更に図１を参照しながら上述したように、行電極は、暗色材料によって視界からマスクされることが望ましく、あるいは透明な材料から形成されることが望ましい。
【００３４】
図１、２に示す表示装置構造は、フルサイズの表示装置、あるいはより小さいタイルに使用できる。このより小さなタイルの多くは、互いに結合されて非常に大きな表示装置を形成することができる。図３は、図１に示す構造を有する表示タイルの裏面平面図である。図３に示すように、回路ボード１２０は、それぞれバイア１１４、１１２を介して表示装置の行、列に接続される電子回路１３４を有している。本発明の例示的実施形態では、回路ボード１２０は、バイア１１２、１１４のための孔を形成するためにパンチ加工またはドリル加工される未焼成セラミックテープから形成することができる。回路１３４をバイア１１２、１１４に接続する導体１４０は、未焼成テープに印刷または塗布することができ、またバイアホールは焼成の前に充填することができる。導電性の線１４０は、回路１３４のエッジに沿ってバイア１１２、１１４に接続される。回路１３４は、導体３１０を介して動作パワーを受け、導体３１２とコネクタ３１４とを介してデータ信号とタイミング情報とを受けるように接続される。
【００３５】
図４は、図２に示す構造を有する表示タイルの裏面平面図である。このタイルもまた、電子回路１３４と導電性の線１４０と動作パワー導体３１０とデータ・タイミング信号導体３１２とコネクタ３１４とを有している。しかしながら本発明のこの実施形態における導電性の線１４０は、タイルのエッジに限定されることはなく、タイルの内側ピクセル位置を通って表示装置の行・列電極に接続される。
【００３６】
図５は、図１に示す構造を有するタイルに使われる例示的ピクセル間隔を示すピクセル図である。タイルのエッジに沿ったバイア１１２、１１４の経路指定は、タイル間に事実上、目に見えない接合を行う仕方で多数のタイルが互いに接することを可能にしている。図５に示すピクセル間隔は、組み立てられたタイル式表示装置におけるピクセル間隔の連続性を中断させることなく、導電性バイアがタイルのエッジに沿って配列されることを可能にする。図５は４個のタイル５３０、５４０、５５０、５６０の分を示している。破線５２４、５２２は、ピクセル境界を示す。これらの線は、単にピクセル・レイアウトを理解する際の案内として示されている。ピクセルのアクティブ部分５２６は、全ピクセル面積の約１／４を占めているに過ぎない。これは、約２５％のピクセル・アパーチャを画成している。このアパーチャは、アクティブピクセル面積対非アクティブピクセル面積の比率である。本発明のこの例示的実施形態では、アクティブ領域は、ピクセル領域の中心にはなく、図５に示すように左上にずれている。
【００３７】
図５に示すように、ピクセルのこの間隔は、タイル境界を越えてピクセルの規則的間隔と干渉することなく、バイア１１４、１１２がピクセルの行・列電極に接続するための余地を、表示装置のエッジに沿って残している。図５に示す例示的実施形態では、アクティブ領域５２６からタイルのエッジまでの距離である距離ｄeは、ピクセルのアクティブ領域５２６のエッジからピクセル境界１１２または１１４までの内側距離ｄIの約２倍である。
【００３８】
図５に示すピクセル図は、水平垂直両方向にずれたピクセルのアクティブ領域を有しているが、アクティブ領域は、垂直方向にだけずれていることも考えられる。この構成では、行電極とのコンタクト（接点）はアクティブピクセル材料の下にあるので、ピクセルのアクティブ領域をずらす必要はない。
【００３９】
図６は、図２に示したようなタイルの使用に適した代替のピクセル・レイアウトである。図６に示すレイアウトでは、ピクセルのアクティブ部分５２６はそれぞれのピクセル領域の中心にあり、表示装置の行・列電極を電子回路に接続するバイア１４４は、それぞれのピクセル素子の間に形成される。アクティブ領域５２６のエッジと表示装置のエッジ６１２との間の距離は、タイルのすべての辺について等しく、またアクティブピクセル領域の中心からエッジまでの距離は、ピクセル・ピッチの１／２である。しかしながら図１２、１２Ａを参照しながら以下に説明するように、エッジのピクセルの中心とタイルのエッジとの間の距離は、縦仕切り（マリオン）が挿入されて隣接タイルを接合することを可能にするためにピクセル・ピッチの１／２より僅かに小さくなっている。以下に説明するように、表示装置上でタイルを接合することと、タイルが合わさるエッジを隠すこととの両方のために、縦仕切り（マリオン）が一般に使われる。
【００４０】
前述の表示装置は一般に、モノクローム（単色）の表示装置であった。これらのピクセルは、一対の行・列電極によって制御される単一の発光領域を有している。カラーピクセルは、図７、８に示すように実現できる。図７は、赤（Ｒ）７２０、緑（Ｇ）７２２、青（Ｂ）７２４という別々のサブピクセルを有する単一ピクセルを示す。これら３個のサブピクセル７２０、７２２、７２４は各々、バイア７１０、７１２、７１４によって電子回路セクションに接続されたそれぞれの列電極（図示せず）を有している。単一の行電極（図示せず）は、これら３個のサブピクセルすべてによって使用される。この行電極は、点線で示すバイア７１６によって電子回路セクションに接続されている。行電極７１６は、行電極の下にあって目に見えないので、点線で示してある。３重サブピクセル構造の形状は、サブピクセルの高さｄSHと、サブピクセルの幅ｄSWと、アクティブサブピクセル領域からピクセル領域のエッジまでの距離ｄeとによって画成される。本発明の一例示的実施形態では、これらの寸法はピクセル・ピッチＰによって表１で提供しられる。
【００４１】
表１
ｄSH              ．５Ｐ
ｄSW              ．１６Ｐ
ｄe               ．２５Ｐ
図８は、代替のカラーピクセル構造を示す。この構造は、４個のサブピクセル素子８３０、８３２、８３４、８３６を有する。これらのサブピクセル素子８３０、８３６の２個は、刺激されると緑の光を発光するが、他の二つのピクセル素子８３２、８３４は、それぞれ赤と青を発光する。この構造は、４重サブピクセル構造として知られている。この構造は、カラー表示装置の輝度情報のより多くが赤や青のピクセルよりも緑のピクセルで表示されるので、２個の緑色サブピクセルを使用している。その代替として、もしある特定の表示技術が一つのカラーバンドの光を他のカラーバンドの光と同じ強度で発生させることができなければ、２重ピクセルは、その低発光カラーであればよい。ＯＬＥＤ表示装置に関しては例えば、２個の２重ピクセルは緑の代わりに赤ピクセルであることが有利であるかもしれない。エレクトロルミネセンス表示装置の場合には、２重ピクセルは青であることが有利であるかもしれない。このように、同じカラーの２個のサブピクセルを使用することは、種々の表示技術において、より明るい表示を可能にする。更に４重ピクセルのサブピクセルの間隔は、図８に示す例示的ピクセル構造が約２５％のアパーチャ（開口）を有していても、このピクセル構造の可視性を減少させて、表示装置の知覚される空間解像度を向上させるように働く。更にサブピクセルの間隔は、バイアがサブピクセル領域間に経路指定されることを可能にする。
【００４２】
図８に示すピクセル構造は、２個の行電極（図示せず）と２個の列電極（図示せず）とを使用する。これらの行電極は、バイア８１６、８１８（点線で示す）によって電子回路セクションに接続されているが、列電極はバイア８１０、８１２によって電子回路セクションに接続されている。４重サブピクセル構造の形状は、サブピクセルの高さｄSHと、サブピクセルの幅ｄSWと、アクティブサブピクセル領域からピクセル領域のエッジまでの距離ｄeと、隣接サブピクセル間の距離ｄSIという寸法によって画成される。本発明の例示的実施形態に関して、これらの値は、表２で定義される。
【００４３】
表２
ｄSH              ．２５Ｐ
ｄSW              ．２５Ｐ
ｄe               ．１２５Ｐ
ｄSI              ．２５Ｐ
図７、８は、距離ｄeとｄSIとが水平・垂直両方向で等しいものとして示しているが、これらの値は異なっていてもよい。図７、８に示す例示的ピクセル構造は両者とも、約２５％のピクセル・アパーチャを生成するようにピクセル領域の約４分の１をカバーするアクティブピクセル領域を有している。この値は、単に例示的なものである。本発明は、より大きなピクセル・アパーチャと、より小さなピクセル・アパーチャの両方を考慮している。
【００４４】
しかしながら本発明の例示的実施形態におけるピクセルの比較的小さなアパーチャは、コントラスト向上の一つのレベルを提供する。図８に示すように小さなアパーチャと４重サブピクセル間の間隔との組合せは、画像が表示されているときにピクセル構造を隠すように作用することによって、更に有利な点を引き出す。
【００４５】
もう一つのコントラスト改善は、表示装置の表面からの周囲光の反射を減少させることである。表示面からの周囲光の反射を減少させる方法の一つは、ピクセルから放射される光を阻止または吸収しない表示面上のいずれの箇所に対しても光吸収ブラック・マトリクスを加えることである。発光型表示装置に関しては、ピクセルの発光領域間にブラック・マトリクスが配置される。ライトバルブ型表示装置に関しては、ライトバルブ領域間にブラック・マトリクスが配置される。もしブラック・マトリクスがピクセル構造に関して適切に整列配置されれば、放射光または透過光は殆ど阻止されない。しかしながらこのブラック・マトリクスに入射する周囲光は吸収されて、表示装置のピクセル構造によって発光されるか、反射されるか、透過される光とは干渉しない。ブラック・マトリクスは、印刷プロセスまたはリソグラフィープロセスによって形成することができる。ブラック・マトリクスの形状は、１次元的（例えば、複数の線）または２次元的（例えばアパーチャ（開口部）のアレイ）であってよい。ブラック・マトリクスの材料は、いかなる光吸収体（例えばインク、塗料、染料等）でもよい。良好な吸収体は、より弱い（例えばより大きな残留反射率を有する）吸収体よりも好適であり、「フラットブラック（光沢のない黒）」（例えば残留反射率が反射性であるよりも拡散性である）は、「光沢ブラック」（例えば残留反射率は拡散性よりも鏡面反射性である）よりも改善されている。
【００４６】
その代替として図１２を参照しながら以下に説明するように、ブラック・マトリクスは、前面カバーグラスの内側（非観察者側）、または基板の観察者側に取り付けることができる。これらすべての構造には、ブラック・マトリクスでカバーされない（例えば放射された光が出ていく領域、およびブラック・マトリクスが前面カバーグラスの観察者側に取り付けられていない構造内のすべての領域）前面カバーグラスの観察者側表面からの鏡面反射成分が存在する。コントラストの改善は、これらの領域に反射防止膜を被覆することによって達成することができる。反射防止膜は、一般的に約５％である通常の鏡面反射成分をそれより少ない量にまで減少させるであろう。これらのブラック・マトリクス箇所の組合せと、反射防止膜のブラック・マトリクスとの組合せとは、不要な反射を更に減少させる。
【００４７】
図２を参照しながら上述したように、組み立てられた表示装置の電子回路セクションは、この表示装置の領域を横切る個別の行または列電極への電気的接続を形成する接続プレート１３２を含んでいる。図９、１０、１１は、これらの接続を行う例示的な仕方を示している。図９は、破線のボックスで示された接続プレート１３２を有する例示的表示装置の正面平面図である。絶縁層１３０は、分かりやすくするために取り除いてある。図９はまた、２個の行電極１２８Ａ、１２８Ｂと２個の列電極１２２Ａ、１２２Ｂとを有している。列電極１２２Ａは、バイア９１４を介して接続プレート１３２Ａに接続されているものとして示されている。列電極１２２Ｂは、バイア９１６を介して接続プレート１３２Ｄに接続されているものとして示されている。行電極１２８Ａ、１２８Ｂは、それぞれバイア９１０、９１２を介してそれぞれの接続プレート１３２Ｂ、１３２Ｃに接続されている。
【００４８】
図１０、１１は、それぞれ線Ｆ１０、Ｆ１１に沿った図９に示す電子回路セクションの一部分の断面図を示す。図１０、１１は、図９では省略された絶縁層１３０を含んでいる。図９に示すように列電極１２２Ｂへの接続部９１６は、アクティブピクセル素子間にある表示装置の領域上で行われる。したがって図１０は、単にフロートガラス基板１２０と、列電極１２２と、絶縁層１３０と、接続プレート１３２Ｄ、１３２Ｅとを示している。接続プレート１３２Ｄと列電極１２２Ｂとの間のバイア９１６は、絶縁層１３０の開口部１３１を貫通して作られている。この接続は例えば、印刷プロセスで使われる銀ペーストまたはインクが開口部１３１を通って流れて列電極１２２Ｂと接触することを可能にすることによって、接続プレートが電子回路セクションに印刷されるときに行われる。
【００４９】
図１１は、行電極への接続を行う例示的な方法を示す。図９に示すように行電極への接続は、アクティブピクセル素子１２４を有する表示装置の部分の上で行われる。図１１に示す表示装置のセグメント（部分）は、ガラス基板１２０と、透明な列電極１２２と、表示材料１２４と、行電極１２８Ｂとを含んでいる。図９に示すように接続プレート１３２Ｂは、バイア９１０を使って行電極１２８Ｂとの接続を行う。この接続は、絶縁層１３０の開口部１３１を通して行われる。図１１に示すように接続プレート１３２Ｂと行電極１２８Ｂとの間の接続が数箇所で行われるように数個の開口部が存在する。これら多数の開口部は、完成された表示装置の歩留りを向上させる冗長度を提供する。図１０には示されていないが、列電極１２２への接続もまた、接続プレートに沿って複数箇所で行われる。図９を参照すれば例えば、接続プレート１３２Ｄと列電極１２２Ｂとの間の接続を行う３個のバイア９１６が存在する。
【００５０】
ＩＴＯはアルミニウムや銀ほど良好な導体ではないので、電子回路モジュール１３４が列電極に接続されている箇所から列電極に沿って抵抗性の電圧降下がある。これらの抵抗性の電圧降下の大きさを減少させるために、列電極に沿って間隔をおいた数箇所の点で、この電子回路モジュールを各列電極に接続することが望ましい。これらの点は隣接していないことが望ましいので、各列電極１２２のために二つ、あるいは三つの接続プレート１３２を割り当てることが望ましい。したがって接続プレート１３２と接続パッド１３４の数は、行電極と列電極の数の和よりも大きくなる可能性がある。その代替として表示装置の長さに沿ってＩＴＯ電極と接触している金属の導電性の線を形成することが望ましいこともある。導電性の線は、暗色の材料によって見えないようにマスクされることが望ましく、あるいはこれらの線からの鏡面反射が表示画像に干渉するのを防止するために、導電性の線は細いことが望ましい。
【００５１】
上述のようにタイル式および非タイル式表示装置両者に共通に見られる構造は、ブラック・マトリクスである。ブラック・マトリクスは、ブラックライン（黒い線）から製造することができる。ブラック・マトリクスは一般に、表示のコントラストを大きくするためにこれらの領域の周囲光を吸収するように、ピクセルのアクティブ部分間に配置される。ブラックマトリクス・ラインは例えば、ＣＲＴの画面上の蛍光体間、あるいは液晶表示装置のために画成されたピクセル位置間に見ることができる。タイル式表示装置では、ブラックマトリクス・ラインは、一般に縦仕切り（マリオン）より小さく、また一般にピクセルの平面内に配置される。ブラックマトリクス・ラインは、周期的であってピクセル間に配置されるので、これらが画像の連続性を阻害する傾向はない。
【００５２】
本発明は、ブラック・マトリクスからは見分けがつかない、したがって観察者にとっては見えないタイル間に物理的ギャップを作るためにタイル式表示装置に組み込むことのできる光学構造体を使用する。この集積構造は、発光ピクセル材料の平面内にブラック・マトリクスを有していない表示装置にブラック・マトリクスを加えるために非タイル式表示装置に使用することもできる。
【００５３】
この構造の説明図を、図１２、１２Ａに示す。図１２は、部分的に組み立てられたタイル式表示装置の切断斜視図である。図１２Ａは、図１２に示す表示装置の一部分の細部を示す。この表示装置の主要コンポーネントは、フレーム１２１４と、例えばガラスまたはプラスチックの透明シート１２２０と、ブラック・マトリクスを形成する複数のブラックライン（黒い線）２０１０と、表示装置を形成するタイル１００とである。この光学的集積構造の主要な特徴は、ブラックラインが等しい幅とピクセル・ピッチに等しい間隔とを有しているという点でブラックマトリクス・ラインに似ているブラックライン１２１０のパターンである。これらのブラックライン１２１０は、タイル１００間のギャップ１２１２のいずれかの側のこれらのピクセルを含めて、表示内のすべてのピクセルの間に横たわるように配置することができる。ブラックラインの光学的集積パターンはまた、この光学的集積構造のブラックラインの一部が表示タイル１００間のギャップ１２１２の上に横たわっていて、ギャップが見えるのを防止する縦仕切りとしても役立っている。組み立てられると、タイル１００のガラス基板１２０は、透明なシート１２２０の裏面のブラックライン１２１０に隣接して配置され、これが集積構造を形成する。
【００５４】
従来のブラック・マトリクスとは異なり、表示タイルを集積するための開示された光学構造体は、タイル１００の観察者側に表示タイルと接触しているブラックライン・パターンを有するピクセルを有し平面（縦仕切り構造に似た）の上に配置される。縦仕切りとは異なり、光学的集積構造体１２２０上のブラックラインは、タイル間の接合部をカバーするブラックラインがブラック・マトリクスを形成するブラックラインと実質的に同じ幅であるように、比較的狭くなっている。したがってここに開示されている構造は、ブラック・マトリクスと縦仕切りの機能を同時に備えているが、この光学的集積構造体１２２０上のパターンのすべてのラインは実質的に同じであって事実上見分けが付かないので、縦仕切りラインはそれ自体、観察者にとって目に見えない。したがって観察者は単に、ブラックラインの一様なパターンを見ていることになる。本発明のこの態様の主要な特徴は、タイル間の物理的ギャップが観察者から隠されるように、また同時に放射光が殆ど、あるいは全く表示から出ることを阻止するように、開示された光学的集積構造体の上にブラックラインと縦仕切りとのパターンを精密に指定することである。更にブラック・マトリクスと縦仕切りは、タイル間のギャップを横切るときでも、大きな画像の連続性を阻害しない。
【００５５】
上述のようにブラックマトリクス・ライン１２１０を有する前面ガラスプレート１２２０は、表示装置にブラック・マトリクスを加えるためにフルサイズの表示装置で使うことができる。前述のように暗色の背景を有するアクティブピクセル素子を有した表示装置が形成されると、前面ガラスプレート１２２０は、強化されたブラック・マトリクスを表示装置に提供することによって表示のコントラストを更に向上させることができる。このような表示装置上でブラック・マトリクスを使うことはまた、行・列電極がブラック・マトリクスでカバーされるので、反射性の行電極および／または列電極を暗色材料でマスクすることを不要にできる。
【００５６】
図１２に示す光学的集積構造を更に容易に説明するために、個別の縦仕切りを使ってタイルを結合する方法を最初に説明する。図１３は、縦仕切り１３１０によって結合される、本発明の２個のタイル１００の一部分の断面である。これらのタイルの各々はガラス基板１２０を有しており、このタイル構造の残りの部分は図１３には図示されていない。これら例示的タイルは、ガラス基板１２０の底面近くに配置されたアクティブ表示材料（図示せず）を有している。この例示的タイルはまた、ブラック・マトリクスの一部分を形成するブラックライン１３１３を有している。
【００５７】
図１４は、本発明の表示装置での使用に適した例示的縦仕切り１３１０の斜視図である。縦仕切り１３１０は、黒色材料から形成されるか、黒く印刷または塗装される上面１４１０を有している。縦仕切りが表示装置上に仮構物を生成しないことを保証するために、縦仕切りの上面はサイズ、カラー、光沢においてブラックストライプ（黒い縞）１３１３と密接に整合していることが望ましい。縦仕切り１３１０はまた、望ましくは明色の材料（例えば白）から形成される側面を有する下部ステム１４１２を有している。その代替として縦仕切りの下部ステムは、透明であることもでき、透明な基板１２０の屈折率に近い屈折率を有しこともできる。縦仕切りの近傍に散乱するいかなる光もタイルの内部のピクセルの間で散乱する光と同じ性質を有しように、縦仕切りの下部ステムは明色または透明であることが望ましい。それとは異なり、もし光がタイルの中心近くよりもタイルのエッジで散乱するならば、そのエッジは例えば、表示画像の中で輝度の低いバンドとして見えることがある。縦仕切りの側面１４１２と上部バーの下面１４１４とのうちの二つ以上の面は、縦仕切りが接合する二つのタイルにその縦仕切り１３１０を取り付ける接着剤で被覆することができる。もしこれらの表面のすべてが接着剤で被覆されると、集積構造体１２２０を使用せずにこの縦仕切りを使って表示装置内にタイルを接合することができる。この場合、本発明のブラック・マトリクスは、個々のタイルの透明な基板１２０の観察者側の面に形成される。
【００５８】
発光型表示装置のガラス基板の前面におけるブラックストライプ（黒い縞）または縦仕切りの最適配置を決定するためには、その表示装置によって放射される光の性質を理解することが有用である。図１５は、底面１５１０と上面１５１２とを含む例示的ガラス基板１２０の断面を示す。底面１５１０上の一点から放射する多数の代表的光線１５１４、１５１６、１５１８が示されている。ある光線１５１４はガラスを出て行き、またある光線１５１８は、上面１５１２で内側へ全反射してガラスシート内にトラップされる。基板１２０の上面１５１２に平行な角度に屈折する光線１５１６は、これら二つのタイプの光線の間の遷移状態にある。
【００５９】
遷移状態にある光線１５１６の入射角は、臨界角（Θc）と呼ばれる。臨界角よりも小さい角度で表面１５１２に到達する光は、ガラス基板を出て行き、臨界角よりも大きい角度で表面１５１２に到達する光は、内側に全反射する。臨界角は、式（１）に示すようにガラス基板１２０の屈折率ｎglassに依存する：
【００６０】
【式１】
Θc＝Ｓｉｎ-1（１／ｎglass）
本発明の例示的実施形態では、ｎglass＝１．５５およびΘc≒４０°である。
【００６１】
タイル式表示は、タイル間のギャップを横切るピクセル間の間隔が表示タイル内のピクセル間のピッチと実質的に同じであるように、アレイ状に配置されたタイルで作られる。このようにして表示タイルのエッジは、最後のピクセルの中心から１／２ピッチ距離（またはこれより僅かに小さい）となる。臨界角のためにガラスシート内の一点から放射される光は、多くともｄc＝ｔglassＴａｎ（Θc）の横方向距離だけ走行できる。ここでｔglassは、ガラスの厚さである。したがってギャップ領域のどの部分からの光も、このギャップ領域の上に幅Ｗm≧２ｄcのブラックストライプを置くことによって阻止できる。このようなブラックストライプは、縦仕切り１３１０の上端部として図１６に示してある。光学系の対称性のために、同じブラックストライプが外部光線を阻止してギャップ領域を見えなくしている。このようにしてこのブラックストライプは、ギャップ領域を観察者から見えなくしている。実際にブラックストライプまたは縦仕切りのトップバーは、ギャップのいかなる有限幅にも対処するために２ｄcよりも僅かに幅広いことを必要としている。
【００６２】
再び図１２、１２Ａに示す構造を参照すれば、個々のタイルは、個々の縦仕切りによって結合される必要はない。その代わりに、これらのタイルは、ギャップが幅Ｗmを有するブラックストライプの上に直接配置されるように光学的集積構造体１２２０の裏面に直接組み立てられる。図１２、１２Ａに示すように、例示的光学集積構造体１２２０は、タイルのガラス基板１２０に接触している構造体の表面上のブラックラインによってタイルのアレイの上に位置決めされる。各ブラックラインの中心は、ギャップ領域が観察者から見えないようにタイル間のギャップに整列配置される。本発明のこの実施形態は、個々の縦仕切りを必要としないが、もしタイルが縦仕切り１３１０によって接続されれば、集積構造体１２２０は、縦仕切りの上面１４１０をカバーするブラックラインを含むことができる。この場合、縦仕切りのトップバーは、タイル１００の上面と集積構造体１２２０の裏面との間のどのギャップも最小にするために、できるだけ細いことが望ましい。その代替として縦仕切り１３１０は、ブラック・マトリクスを有する集積構造体１２２０の上に組み立てることもできる。この構成では縦仕切りは、複合表示装置を形成するためにタイル１２０が挿入されるポケットを形成する。この構造体は、接着剤を使って縦仕切りを直接、集積構造体１２２０に取り付け、それからタイルを表示装置に挿入する前にクロスバー１４１０の下側１４１４とステムの側面１４１２とに接着剤を塗布することによって、形成できる。
【００６３】
タイル間ギャップをカバーするために使われる縦仕切りを形成する光学的集積構造体１２２０上のブラックラインは、典型的なブラックラインより幅広くなる傾向があり、またタイルのエッジに近いピクセルから放射される光の一部またはすべてを阻止する可能性がある。組み立てられた表示装置を通るが、いかなる人為的な歪みも避ける光の量を最大にするためには、集積構造体１２２０上の表示タイルとブラックストライプは、特定の関係を有しように明確に設計することが望ましい。
【００６４】
図１７は、二つのピクセル領域を含むピクセルの断面を示す。ガラス基板１２０の底部の発光領域１７１０は、幅ｄpを有している。ガラスセクションを出ることができ、また観察のために有用な光線は、幅「ｗ＝２ｄc＋ｄp」を有する領域内のガラス基板１２０の上面を出る。表示装置は、ピクセル・ピッチＰとして知られる距離だけ等しく間隔をあけたピクセルのアレイを有している。したがって、いかなる観察可能な光も阻止しないためには、ブラック・マトリクスは、幅「Ｗm≦Ｐ−ｄp−２ｄc」を有することが望ましい。図１７に示す寸法は、ブラックマトリクス・ストライプが放射光を阻止しない場合を描いている。
【００６５】
ガラス基板１２０の厚さとブラックストライプの幅が上記の基準を満足するときは、表示装置の直前の観察者（通常の角度から見ている）に向けられる光は阻止されないが、より大きな観察角からの一部の光は、阻止できる。しかしながら、これらの基準を満たすことは、ブラック・マトリクスによって占められる表示装置の部分がより大きくなるので、コントラストを向上させることになる。言い換えれば、より広い観察角からの光の阻止は、通常の観察角でのより高いコントラストのために有利であるとして歓迎されると考えられる。
【００６６】
上述のように本発明の例示的実施形態では、例示的表示装置のピクセルは、バイアが列電極と電気的に接触するための余地をそのピクセル内に残すために、約２５％のアパーチャを有している。したがって本発明の例示的実施形態では、ｄpは約Ｐ／２である。この比較的小さなアパーチャはまた、タイル間ギャップを隠すことをより容易にすることによる、また表示のコントラストを向上させるブラック・マトリクスのために比較的大きなストライプサイズを可能にすることによる利点を有している。
【００６７】
ブラックストライプの幅に関しては、二つの基準が存在する：すなわちＷm≧２ｄc（ギャップを隠すために必要とされる）、およびＷm≦Ｐ−ｄp−２ｄc（ピクセルからの光を妨げることを防止するために必要とされる）である。これらの基準は、図１８に一例（すなわちＰ＝２ｗp）が描かれている。ギャップを見えなくすることと、見えるものを妨げないこととを同時に行う設計条件は、ガラスの厚さとブラックストライプの幅とに関する選択の望ましい領域１８１０として図１８に示されている。最も望ましい解は、許容領域の最上部の、最大のガラス厚さを有する設計点１８１２である。この点では、ガラスの厚さは．０１５Ｐであり、ブラックストライプの幅は０．２５Ｐである。この条件を満たすように表示モジュールとブラックマトリクス・ストライプとを設計することは、個々のモジュールがモジュール間のギャップによって検知できなくなるという結果と共に、集積構造体１２２０の背後に個々のモジュールを集積することによって大面積表示装置を製作するという結果をもたらす。
【００６８】
設計点１８１２では、いかなる観察角でも光は妨げられない。図１８の設計条件１８１４は、最大のコントラストと最大の厚さのガラスとを提供するので、設計点１８１２よりも優れているが、軸から外れた観察の場合に表示装置の輝度に著しい損失が見られる。三角形１８１６内では、軸から外れた一部の光は阻止されるが、周囲光を減らすことによってコントラストは改善される。
【００６９】
集積構造１２２０の観察者側を反射防止膜で被覆することによって、および／または光学的集積構造１２２０が構成される材料（例えばガラスまたはプラスチック）の表面上に、またはそのバルク内に、周囲光吸収体または図１を参照しながら前に説明したフィルタ１２１といったカラーフィルタを加えることによって更に改善できると考えられる。
【００７０】
また集積構造１２２０は、観察者側の表面にディフューザ（拡散体）被膜を有しこともできると考えられる。このディフューザ（拡散体）は、個別ピクセル・ブラックマトリクス構造の可視性を減少させて、ピクセルの見かけの大きさを大きくする。このようにしてディフューザは、表示される画像の粒状性を減らすように働くことができる。ディフューザはまた、鏡面反射を減少させるように働く。したがって、鏡面反射を含む観察角でディフューザは、画像のコントラストを改善する。これは特に、比較的大きなピクセルを有する表示装置、あるいはより小さなピクセルを有しているが表示装置に極めて接近して観察されるように設計された表示装置にとって重要である。
【００７１】
ピクセル構造の可視性を減少させるもう一つの方法は、図８を参照しながら上述したように、分割されたサブピクセルを有する４重ピクセル構造を使用することである。このピクセル構造は、一つのカラーに関して明るい蛍光体を有していない表示技術においても比較的高いレベルの輝度を提供する。この４重サブピクセル構造の分割されたサブピクセルはまた、良好なコントラストと、空間解像度の明らかな増加とを提供する。
【００７２】
集積構造１２２０は、タイル式表示装置の個々のタイルを整列させて搭載する比較的単純で高精度の方法を提供する。特に集積構造１２２０上のパターンは、例えばモアレパターンを使ってタイルを位置決めすることによってピクセルに精確に整列配置され、それからタイルは、光学的に透明な接着剤、例えば紫外線硬化エポキシによって集積構造１２２０に取り付けられる。
【００７３】
本発明は、表示装置にブラック・マトリクスを設ける集積構造以外の方法も考慮している。一つの方法は、ガラス基板１２０の観察者面上に光吸収材料でブラック・マトリクスを形成することである。もう一つの方法は、例えば図１に示す部材１２１としてピクセルの面に密接して光吸収材料を備えることである。もし光吸収材料が表示装置のアクティブピクセル領域の外側で使われるならば、最小の輝度レベルを維持しながら、発光領域のサイズを最小にして吸収体の面積を最大にすることが望ましい。この所望の構造を有する表示装置は、比較的小さなアパーチャを有している。画像のコントラストという点から見て、小さなアパーチャと吸収材料によってカバーされた非アクティブピクセル領域とを有する表示装置は、大きなアパーチャを有するものよりも良好なコントラスト性能を示している。しかしながら小さなアパーチャの表示装置は、表示材料がその表示装置の輝度要件を満たすのに十分な光を生成し、透過し、あるいは反射するときに、そしてカバーグラスがアパーチャの開口と比較して薄いときに、最も良好に働く。
【００７４】
またアパーチャは小さいがピクセルのアクティブ領域は比較的大きい（例えば約５０パーセント）構造でこれらの目標を達成することも可能である。タイル式表示装置に関しては、アクティブピクセル領域は、バイアが表示装置の非アクティブ領域内に形成されることを可能にするのに十分なほど小さいことが望ましい。これらの目標を達成する一つの方法は、比較的大きなアクティブピクセル領域によって提供しられる光を反射または屈折して、それを比較的小さなアパーチャを通過させるレンズ構造を含むピクセル構造によるものである。上述のように、レンズを有する表示装置のアパーチャは、２５パーセント以下であることが望ましい。ピクセルの反射性構造は、屈折光学系、屈折性内部反射、ライトパイピング、あるいは反射性材料で被覆された表面を使用することができる。最適の構成では、ピクセルのアクティブ領域によって提供しられる光は、出口アパーチャを通過するまでに最小の回数ではあるが恐らく複数回は反射される。上述のように、小さくされたアパーチャの一つのマイナスの効果は、個々のピクセルの可視性が高まることである。隣接ピクセル間の分離を大きくすることと、表示装置内のコントラストを大きくすることとは、個々のピクセルを更に見られやすくすることになる。ピクセル構造を隠す一つの方法は、前面カバーグラスの観察者側の前に低反射率拡散面または回折面（例えば空間回折フィルタ）を置くことである。これによって観察者からは、アクティブピクセル領域がより大きく見えるようになる。
【００７５】
比較的大きなアクティブピクセル領域によって提供しられる光が比較的小さなアパーチャを通過するように減らされる一つの方法は、図１９に示されている。この構造では、レンズ１９１０が前面カバーグラス１２０の観察者側に形成されて、ピクセルの発光部分またはライトバルブ部分１９１２に整列配置される。図１９に示すように、ピクセルのアクティブ領域１９１２によって占められる領域は、光が放射されるレンズ１９１０の開口部よりも大きい。その代替として、より大きなピクセルに関しては、あるいは図８に示すような４重ピクセル構造に配置されたピクセルに関しては、各ピクセルのために２個以上のレンズが形成され、各ピクセルの前にアレイとして、またはランダムなグループとして配置される。このレンズは、ピクセルのアクティブ部分によって提供しられる光が観察者領域に放射される透明なアパーチャを有していることが望ましい。前述のように、コントラストを最大にするためには、このアパーチャのサイズは、光学系が許すかぎり小さいことが望ましい。このアパーチャの上面１９１４は、鏡面反射成分が最小になるように、平面でないことが望ましい。この表面は、凸面、凹面、またはいかなる所望形状でもよい。レンズ構造の側面は、反射性であることが望ましい。
【００７６】
反射性は、全内面反射という結果をもたらす屈折率を有するレンズの材料を選択することによるか、レンズの側面に反射被膜を付けることによるか、いずれかによってレンズ構造の壁に提供することができる。レンズの底面（ピクセルのアクティブ領域１９１２に近い）は、できるだけ多くの光がこの構造体に入射するように、可能な限り幅広いことが望ましい（例えば、レンズの底面の領域は、ピクセルのアクティブ領域にサイズと形状とを近づけるべきであり、またアクティブ領域に極めて接近して配置すべきである）。観察者面のレンズ間の領域１９１６は、レンズ１９１０のアパーチャの周りにブラック・マトリクスを形成するために光吸収材料で充填されることが望ましい。このブラック・マトリクスは、レンズ間の側面に従う隣接するレンズ構造の側面間の空間を充填するか、表面を被覆することができる。この構成では、レンズ間には鏡面反射を招く可能性のある平らな領域は存在しない。レンズの側面に従うブラック・マトリクス充填は、１９１７として図１９に点線で示されている。ブラック・マトリクスの屈折率は、重要な要件である。もしこの材料の屈折率がレンズの屈折率よりも小さければ、アクティブピクセル素子によって提供しられる光は、内側に全反射しないこともあり、したがって黒色の材料によって吸収される可能性がある。これは、より低い屈折率を有する黒色材料を選択することにより、あるいは黒色材料を付設する前に、低い屈折率を有する材料でブラック・マトリクス領域をプレコーティングすることによって、防止することができる。
【００７７】
レンズの側面のブラック・マトリクスに当たる周囲光のいかなる鏡面反射成分も、隣接するレンズのブラック・マトリクスに当たるような角度で反射されることが望ましい。このようにして構造体１９１７は、周囲光に関してライトトラップを形成する。レンズの側面の角度が急峻であるほど、光をトラップする作用は良好になる。ブラック・マトリクス構造１９１７によって達成される強い光抑制作用は、光をトラップする結果として得られる。この構造は、光を吸収する材料を使用することよりも有効であり、また表面のいかなる平らな部分もないことは、表示装置の表面から反射される光のいかなる鏡面反射成分をも大いに減少させる。実にライトトラッピング（光のトラップ）のお蔭で、レンズ間の領域１９１６に黒色材料を使わずに、図１９に示すようなレンズ構造で、著しいコントラスト改善が行われる。
【００７８】
放射光の一部には、放射されるよりもむしろ、レンズ構造によって反射されてピクセル内に戻る光がある。しかしながらこの損失は、できるかぎり反射性のピクセルを有しことによって最小にすることができ、こうして、この光は再び反射されて、放射される別の機会を有しことになる。一部の周囲光は、アパーチャに入り、レンズ構造から放射される光と干渉することがある。これは例えば、周囲光がレンズに入って、レンズ構造内での数回の反射の後に観察者空間に戻ってくるときに、発生する。この効果は、放射光は透過するが他のすべての波長または偏光は吸収する材料（カラーフィルタといった）でレンズ構造１９１０を被覆することによって減少させることができる。他の改善は、さもなければ小さなアパーチャ領域から反射されるであろう小さな成分を抑制するために、レンズ・アパーチャの観察者側を反射防止膜で被覆することである。
【００７９】
レンズ１９１０は、表示装置の構成時に、表示技術に適合する形成手法を使ってカバープレート１２０の観察者面上に形成できる。その代替としてレンズは、別の作業工程で形成してから、表示面に整列配置して光学的接着剤でラミネート（貼り合わせ）できる。表示面の平面内のレンズの形状は、１次元的（直線的レンティキュラー・レンズ）と２次元的（個別レンズのアレイ）の両者を含むことができる。２次元的アレイは、最大のコントラスト改善を提供する。レンズの側面は、直線的でも曲線的（凸面、凹面、またはその両方）でもよい。レンズの上部（観察者側）のアパーチャは、真っ直ぐでも湾曲（凸面、凹面、またはその両方の組合せ）していてもよいが、表示の平面に関して真っ直ぐで平行であることは、鏡面反射を起こしやすいので好適な形状ではない。
【００８０】
ピクセルのアクティブ放射領域によって放射される光の特性と共に、レンズ１９１０の側面の組合せ形状とレンズのアパーチャとは、表示装置から放射される光の分布を決定する。よく知られているように、屈折率に基づいてレンズ材料を選択することにより、またレンズの側面の反射性構造を適切に設計することにより、レンズ・アパーチャからプラスマイナス９０度までの角度で水平垂直に光を放射することが可能になる。表示される光を適当な観察者方向に集中させる仕方に、この分布を適応させるようにレンズ構造１９１０を設計することが望ましい。これは、光学系を使わずに、表示面に対して観察される輝度に、ある程度の利得を提供する。この光分布の調整はまた、これらの好適な方向に関する表示装置の認知されるコントラストを向上させることができる。
【００８１】
図１９の右側と図２０は、底面発光ＯＬＥＤ表示装置の例を示す。これらの例の各々は、二つの構造体、電子回路セクション１０２と表示セクション１０４とからなり、その各々は多層構成となっている。表示セクションは、透明な正孔注入電極（例えばＩＴＯ）とＯＬＥＤ材料と電子注入電極（例えばカリウム）とコンタクト層１９２２とを含むアクティブ表示材料１９１２’が堆積されるガラス基板１２０から構成される。光は、ＯＬＥＤ材料によって放射されて、透明電極とガラス基板とを通って表示装置を出て行く（これは、ＯＬＥＤ材料の基板を通って光が出て行くので底面発光体構造を呼ばれる）。電子回路セクション１０２は、表示層上でコンタクト層１９２２を整合させるコンタクト層１９２０を有する絶縁基板１１０と、これらのコンタクトを他の面の導体に接続する電気的バイア１１２と、ＩＣ１３４とから構成される。電子回路セクション１０２は同時に、表示装置を密封するバリア層、表示装置のための背面基板、電気回路ボードとして機能する。これら二つの構造体は、表示構造体と回路ボード構造体との上の整合コンタクト（接点）間を電気的に接続することと、ＯＬＥＤ材料を封入する（これらの材料を酸素と水蒸気から遮蔽密封する）ことと、これら二つの構造体を互いに接着することとを同時に行う材料１９２４によってこれら二つの構造体を接合することによって表示装置を形成する。
【００８２】
表示層と回路ボード層とを接合するために使用される材料は一般に、エポキシ樹脂、他の２パート熱硬化性または光硬化性接着剤、水分触媒型接着剤、および導電性粒子、導電性被膜を有する粒子、導電性フィラメント（繊維）、導電性フレーク（薄片）、磁性フレーク等といった導電性添加物を充填された熱硬化性または熱可塑性ポリマーなどで作られる。これらの材料は、一般には黒色ではない。
【００８３】
この材料は、黒色の顔料または染料を添加することによって黒くすることができる。カーボンブラックは、適当な黒色顔料の一例である。カーボンブラックが余りに高い濃度で添加されると、密封材料を過度の導電性にしてしまい、コンタクト（接点）を作る妨げとなるであろう。０．１％から１０％（重量ベースで）の濃度は、光を効果的に吸収するが密封材料を過度の導電性にすることはない。黒色の有機染料は、導電性を高めることはない。これらは、密封材料を良好な光吸収体にする濃度に添加することができる。
【００８４】
これらの黒色密封材料は、流体またはペーストとして塗布できるが、予備成形（プレフォーム）シートまたは粉末として提供することもできる。シール／コンタクト（密封／接点）材料を塗布するプロセスの例としては、印刷（シルクスクリーン、インクジェット、コンタクト、ローラー、その他）、注射器または類似のディスペンサーからの投与、またはドクターブレード・コーティング等がある。実際の機械的接合は、密封材料の接着特性から得られる。接着をアクティブ化するプロセスの例としては、触媒、熱、または電磁エネルギーがあり、あるいはその代替として超音波溶接、圧力といった物理プロセスが使用できる。非対称ユニットプロセスを実行することによってこれらの密封／導体材料に、非対称電気特性が提供しられる。非対称導電性を達成するための非対称プロセスの例としては、圧力の印加、材料の流れ、電界または磁界による整列、エレクトロマイグレーション等がある。
【００８５】
図１、２を参照しながら上述したように、電子注入電極は観察者と黒色密封材料との間に配置されているので、これらの電極は、表示のコントラストを局所的に減少させる鏡面反射に寄与する可能性がある。これらの電極からの反射は、これらの面積を最小にするか、これらの電極の観察者側を黒く被覆することによって最小にできる。これらの面積を最小にすることは同時に、周囲光を最小にするために利用可能な黒色材料の面積を最大にする。電子注入電極の観察者側を黒くコーティングすることは、後で金属電極が堆積される領域すべてに黒いコーティングを最初に堆積することによって達成できる。
【００８６】
本発明は、例示的実施形態によって説明してきたが、本発明が付属のクレームの範囲内で一般的に上述したように実施可能であることは考えられることである。
【図面の簡単な説明】
【図１】  本発明のコントラスト改善法を使用する例示的表示装置構造の分解斜視図である。
【図２】  本発明のコントラスト改善法を使用する代替の表示装置構造を示す分解斜視図である。
【図３】  図１に示す構造を有するタイルの裏面平面図である。
【図４】  図２に示す構造を有するタイルの裏面平面図である。
【図５】  各タイルが図１に示す構造を有するタイル式表示装置の４個のタイルの正面平面図である。
【図６】  各タイルが図２に示す構造を有するタイル式表示装置の４個のタイルの正面平面図である。
【図７】  図２に示す構造を有する表示装置の単一のカラーピクセル・フォーマットの部分正面平面図である。
【図８】  図２に示す構造を有する表示装置の代替の単一カラーピクセル・フォーマットの部分正面平面図である。
【図９】  タイルの行・列電極に対して電気的接続が行われる例示的方法を示す、図２に示す構造を有するタイルの正面平面図である。
【図１０】  列電極のための例示的コンタクト構造を示すＦ１０線に沿う図９に示すタイルの切断図である。
【図１１】  行電極のための例示的コンタクト構造を示すＦ１１線に沿う図９に示すタイルの切断図である。
【図１２】  表示装置に関するブラック・マトリクスの例示的搭載方法と例示的実施形態とを説明するために有用な、図１または図２に示す構造を有するタイル式表示装置の部分分解斜視図である。
【図１２Ａ】  図１２に示す部分分解斜視図の一部分の詳細図である。
【図１３】  図１４に示すもののような縦仕切り（マリオン）によってタイルがどのように接合されるかを示す２個の隣接タイルのガラスプレートの一部分の切断側面図である。
【図１４】  本発明のコントラスト改善機能を有するタイル式表示装置を形成するためにタイルを結合するのに適した縦仕切りの斜視図である。
【図１５】  表示装置のためのブラック・マトリクスを形成する方法を説明するために有用な、図１または図２に示す構造を有する表示装置に関するピクセルのガラスプレートの切断側面図である。
【図１６】  タイル境界を横切るブラック・マトリクスを形成する方法を説明するために有用な、図１または図２に示す構造を有する隣接タイルの二つのピクセルのガラスプレートの切断側面図である。
【図１７】  表示装置のためのブラック・マトリクスを形成する方法を説明するために有用な、図１または図２に示すような表示装置の隣接ピクセルのの切断側面図である。
【図１８】  本発明のコントラスト改善機能を説明するために有用な、ガラス厚さ対ブラックマトリクス・ライン幅のグラフ。
【図１９】  アクティブピクセル領域によって提供しられる光を比較的小さなアパーチャに集中させるレンズ構造を使用する例示的表示装置構造の切断側面図である。
【図２０】  例示的２パート表示装置構造の切断側面図である。
【図１】
0004512269.tif 000002
【図２】
0004512269.tif 000003
【図３】
0004512269.tif 000004
【図４】
0004512269.tif 000005
【図５】
0004512269.tif 000006
【図６】
0004512269.tif 000007
【図７】
0004512269.tif 000008
【図８】
0004512269.tif 000009
【図９】
0004512269.tif 000010
【図１０】
0004512269.tif 000011
【図１１】
0004512269.tif 000012
【図１２】
0004512269.tif 000013
【図１２Ａ】
0004512269.tif 000014
【図１３】
0004512269.tif 000015
【図１４】
0004512269.tif 000016
【図１５】
0004512269.tif 000017
【図１６】
0004512269.tif 000018
【図１７】
0004512269.tif 000019
【図１８】
0004512269.tif 000020
【図１９】
0004512269.tif 000021
【図２０】
0004512269.tif 000022